(57)【要約】【課題】  操作ボタンに配置された発光部から射出された光が、隣接する他の操作ボタンに漏れにくい構造の電子機器を提供する。【解決手段】  透光性を有する材料からなるラバーと、前記ラバーに対する押圧により動作するスイッチと、前記スイッチの出力に基づいて制御される発光部と、を、有する操作ボタンが、複数隣接して配置された電子機器であって、隣接する複数の前記操作ボタンの前記ラバーは、一体に形成され、一体に形成された前記ラバーは、隣接する複数の前記操作ボタンの間に対応する位置に、スリットを有し、隣接する前記操作ボタンの間の光の伝搬を抑制する遮光壁は、前記スリットに嵌合していることを特徴とする。【選択図】図３
2020080265.tif 000002
【特許請求の範囲】
【請求項１】
透光性を有する材料からなるラバーと、
前記ラバーに対する押圧により動作するスイッチと、
前記スイッチの出力に基づいて制御される発光部と、
を、有する操作ボタンが、複数隣接して配置された電子機器であって、
隣接する複数の前記操作ボタンの前記ラバーは、一体に形成され、
一体に形成された前記ラバーは、隣接する複数の前記操作ボタンの間に対応する位置に、スリットを有し、
隣接する前記操作ボタンの間の光の伝搬を抑制する遮光壁は、前記スリットに嵌合していることを特徴とする電子機器。
【請求項２】
隣接配置される前記操作ボタンの前記発光部は、相互に発光色が異なることを特徴とする請求項1記載の電子機器。
【請求項３】
前記電子機器は、前記操作ボタンが複数配置された筐体を有し、
前記遮光壁は、前記筐体の一部と一体に形成されていることを特徴とする請求項１または２記載の電子機器。
【請求項４】
前記筐体は、第１筐体と、前記操作ボタンの押圧操作を受け付けるための操作面を有する第２筐体と、を有し、
前記遮光壁は、前記第２筐体と一体に形成されていることを特徴とする請求項３記載の電子機器。
【請求項５】
前記電子機器は、前記操作ボタンが複数配置された筐体を有し、
前記遮光壁は、前記筐体と別体で形成され、
前記遮光壁と、前記筐体とは、相互の位置関係が確定して組み立てられていることを特徴とする請求項１または２記載の電子機器。
【請求項６】
前記筐体は、第１筐体と、前記操作ボタンの押圧操作を受け付けるための操作面を有する第２筐体と、を有し、
前記遮光壁は、前記第２筐体と別体に形成され、
前記遮光壁と、前記第２筐体とは、相互の位置関係が確定して組み立てられていることを特徴とする請求項５記載の電子機器。
【発明の詳細な説明】
【技術分野】
【０００１】
本発明は、電子機器に関する。
【背景技術】
【０００２】
電話機など、複数の操作ボタンが隣接して配置される電子機器には、ユーザーが、操作ボタンの種類を認識しやすいように、また、操作したボタンの操作状態を認識しやすいように、操作ボタンの内部に照明機構が配置されているものがある。例えば、特許文献１では、操作ボタンの内部にＬＥＤが配置され、ＬＥＤを覆うようにラバースイッチとプッシュボタンが設けられている。ユーザーが、プッシュボタンを押下すると、ＬＥＤが点灯し、プッシュボタンが発光する。
【先行技術文献】
【特許文献】
【０００３】
【特許文献１】特開平５−１５３２１４号公報
【発明の概要】
【発明が解決しようとする課題】
【０００４】
発光部が内蔵された操作ボタンは、ユーザーの操作に基づいて、発光／消灯の状態が変わり、操作ボタンの操作状態を、ユーザーに示すものがある。また、操作ボタンの機能によって、隣接する操作ボタン相互の発光色が異なるものもある。ユーザーが、操作ボタンの操作状態や機能を誤認識しないためには、操作ボタンの点灯／消灯の状態や発光色が、隣接する他の操作ボタンに影響を与えること、すなわち、発光部から射出された光が隣接する操作ボタンに漏れること（以下、光漏れと記す）を、抑制することが重要である。
【０００５】
特許文献１では、隣接する操作ボタンの間をリブ（遮光壁）で区切り、光漏れを低減させている。しかし、隣接する複数の操作ボタンのラバースイッチは、連結して形成されている。これは、操作ボタン毎にラバースイッチを独立して形成すると、コストが増加するためである。ラバースイッチは、光が透過するように、透明、もしくは乳白色の材料で形成される。そのため、ラバースイッチのラバーの内部（隣接する操作ボタン間の連結部）を通って光漏れが生じ、ユーザーが、操作ボタンの操作状態や機能を誤認識してしまうことがあった。また、光漏れによって、電子機器の操作ボタンの表示品位を低下させてしまうことがあった。
【０００６】
本発明は、上記問題点に鑑みてなされたものであり、操作ボタンに配置された発光部から射出された光が、隣接する他の操作ボタンに漏れにくい構造の電子機器を提供することを課題とする。
【課題を解決するための手段】
【０００７】
本発明の電子機器は、透光性を有する材料からなるラバーと、前記ラバーに対する押圧により動作するスイッチと、前記スイッチの出力に基づいて制御される発光部と、を、有する操作ボタンが、複数隣接して配置された電子機器であって、隣接する複数の前記操作ボタンの前記ラバーは、一体に形成され、一体に形成された前記ラバーは、隣接する複数の前記操作ボタンの間に対応する位置に、スリットを有し、隣接する前記操作ボタンの間の光の伝搬を抑制する遮光壁は、前記スリットに嵌合していることを特徴とする。
【発明の効果】
【０００８】
本発明によれば、操作ボタンに配置された発光部から射出された光が、隣接する他の操作ボタンに漏れにくい構造の電子機器を提供することができる。
【図面の簡単な説明】
【０００９】
【図１】本発明の実施形態に係る電子機器の外観の一例を示す図である。
【図２】本発明の実施形態に係る電子機器の構成の一例を示すブロック図である。
【図３】本発明の実施形態に係る電子機器の断面図の一例を示す図である。
【図４】本発明の実施形態に係る電子機器のラバーシートの一例を示す図である。
【図５】従来の電子機器の断面図を示す図である。
【図６】従来の電子機器のラバーシートを示す図である。
【発明を実施するための形態】
【００１０】
以下、本発明の電子機器に係る実施形態について説明する。なお、以下の実施形態では、電話機を例にとって説明するが、これに限るものではない。例えば、券売機など、複数の操作ボタンが隣接して配置され、ユーザーによる操作に基づいて、操作ボタンが点灯／消灯し、または操作ボタンの機能によって発光色が異なる電子機器にも、本発明を適用することができる。
【００１１】
図１は、本発明の実施形態に係る電子機器の一例の、電話機１の外観を示す図である。電話機１は、電話機本体２と送受話器４とで構成される。電話機本体２は、ダイヤルした番号、公衆電話回線からの着信の発信元の電話番号などの、各種表示を行う表示部３を有する。さらに、電話機本体２は、複数の操作ボタン、例えば、ユーザーがダイヤル操作を行うダイヤル操作ボタン５、各種設定操作等をおこなう、設定操作ボタン６、及び設定操作ボタン７を有する。なお、電話機本体２は、他にも色々な機能の操作ボタンを有するが、説明は省略する。
【００１２】
ダイヤル操作ボタン５は、１から９、及び０（ゼロ）の数字と、「＊」、及び「＃」の記号と、の合計１２個の操作ボタンから構成される。各ダイヤル操作ボタン５の、ユーザーが押下する部分（キートップ）には、１から９、及び０（ゼロ）の数字と、「＊」、及び「＃」の記号と、が印刷されている（図１では省略する）。ダイヤル操作ボタン５は、電話機１を使用していない待機状態では、消灯している。ユーザーが、送受話器４をオフフックしたとき、または送受話器４をオンフックの状態で、ダイヤル操作ボタン５のいずれかを押下したとき、１２個のダイヤル操作ボタン５が、例えば、全て青色に点灯する。これにより、ユーザーは、電話機１がダイヤル操作を受け付ける状態になったことを認識し、また、各ダイヤル操作ボタン５の数字や記号を視認しやすくなる。
【００１３】
電話機本体２の、設定操作ボタン６、及び設定操作ボタン７は、ユーザーが、電話機１の各種設定を行うときに用いられる。例えば、設定操作ボタン６は、迷惑電話対策機能の設定ボタンである。迷惑電話対策機能がＯＮに設定されると、着信した相手の電話番号が、電話機１に事前に登録されていない場合、警告音が鳴りユーザーに注意喚起したり、通話が自動的に録音されたりする。また、設定操作ボタン７は、例えば、高齢者向けに受話音量を増大し、また聞き取りやすい周波数特性に受話音を調整する機能を、ＯＮに設定するボタンである。
【００１４】
設定操作ボタン６、及び設定操作ボタン７は、電話機１が使用されていないときでも、設定がＯＮであれば、例えば、赤色に点灯した状態となる。ダイヤル操作ボタン５（例えば青色）と、発光色が異なる理由は、ユーザーに機能の違いを分かりやすくするためである。ユーザーは、設定操作ボタン６、及び設定操作ボタン７が赤色に点灯していることを視認することによって、電話機１が、迷惑電話対策機能がＯＮに設定され、また高齢者向けの音量や周波数特性の受話音に設定されていることを確認することができる。
【００１５】
図２は、本発明の実施形態に係る電話機１の構成を示すブロック図である。電話機本体２は、主制御部２０と、ＲＡＭ(Random Access Memory)２２と、不揮発性メモリ２３と、公衆電話回線制御部２５と、表示部２６と、操作部２７と、無線部２１と、を備える。また、図示していないが、着信音などを放音するスピーカーなども有している。
【００１６】
主制御部２０は、不揮発性メモリ２３に記憶されている制御プログラムに従って、電話機本体２を構成する各部を制御する。不揮発性メモリ２３は、制御プログラムや電話帳データ等を記憶している。ＲＡＭ２２は、主制御部２０の主メモリとして機能する。公衆電話回線制御部２５は、公衆電話回線２４と接続し、外部の電話機等と通信を行う。表示部２６は、液晶表示装置等からなる。
【００１７】
操作部２７は、上述したダイヤル操作ボタン５、設定操作ボタン６、及び設定操作ボタン７の他に、留守番電話操作ボタンや、保留操作ボタン等の各種操作ボタンを有する。主制御部２０は、操作部２７に対するユーザーの入力操作の情報に基づき、ダイヤル操作の受付、迷惑電話対策機能のＯＮ／ＯＦＦ制御や、高齢者向けの受話音の音量や周波数特性に調整する機能のＯＮ／ＯＦＦ制御を行う。さらに、主制御部２０は、操作部２７に対するユーザーの入力操作に基づき、操作部２７の各操作ボタン内部に配置された発光部の点灯／消灯や、発光色の変更などを行う。
【００１８】
また、電話機１の送受話器４は、主制御部３０と、ＲＡＭ(Random Access Memory)３２と、不揮発性メモリ３３と、表示部３４と、操作部３５と、無線部３１と、送話口を構成するマイク３７と、受話口を構成するスピーカー３６と、を備える。
【００１９】
主制御部３０は、不揮発性メモリ３３に記憶されている制御プログラムに従って、送受話器４を構成する各部を制御する。不揮発性メモリ３３は、制御プログラム等を記憶している。ＲＡＭ３２は、主制御部３０の主メモリとして機能する。表示部３４は、例えば、ダイヤルした番号や、着信した相手の電話番号などを表示し、液晶表示装置等から構成される。操作部３５は、ダイヤル操作を行うダイヤル操作ボタンや、留守番電話操作ボタン、保留操作ボタン等の各種操作ボタンを有する。
【００２０】
電話機本体２と、送受話器４と、の無線による接続は、無線部２１と、無線部３１と、を介して行われる。無線通信は、ＤＥＣＴ規格に準拠して行われることが多い。なお、例にとる電話機１は、電話機本体２と、送受話器４と、が無線接続されるコードレス電話機であるが、これに限るものではなく、有線接続される電話機でもよい。
【００２１】
次に、電話機本体１０２の従来の構造の断面図を、図５を用いて説明する。図５は、図１のＡ−Ａ‘における断面図である（従来の電話機本体１０２の外観に関しては、本発明の電話機本体２と同様である）。電話機本体１０２の筐体は、電話機本体上部筐体１４６（第２筐体）と、電話機本体下部筐体１５４（第１筐体）と、で構成される。電話機本体上部筐体１４６と、電話機本体下部筐体１５４と、の間には、後述する発光部１５１などを実装したキー基板１４７が配置される。キー基板１４７と、電話機本体下部基板１５４と、の間の空間には、電話機本体１０２を制御する主制御部２０等が配置されるが、図５では省略する。
【００２２】
図１の、ダイヤル操作ボタン５の右上の操作ボタン（右上は、通常「３」のダイヤル操作ボタンに相当するので、以下、ダイヤル「３」操作ボタン８と記す）は、図５のキートップ１４１、ラバーシート１５２（ラバー凸部１４２、ラバー底部１４８、及びラバー底部１５３で構成される）、スイッチ１４９、スイッチ電極１５０、発光部１５１で構成される。
【００２３】
設定操作ボタン６も、同様に、キートップ１４４、ラバーシート１５２（ラバー凸部１４５、ラバー底部１５３、及びラバー底部１５８で構成される）、スイッチ１５７、スイッチ電極１５６、発光部１５５で構成される。ラバーシート１５２は、ダイヤル操作ボタン５と、設定操作ボタン６とで、一体に形成されている。これは、操作ボタン毎にラバーが分離した構造より、コストダウンが可能なためである。
【００２４】
ユーザーがキートップ１４１を押下すると、ラバーシート１５２が変形する。主な変形は、ラバー凸部１４２と、ラバー底部１４８、及びラバー底部１５３とを接続する、膜厚の薄い部分（図５の斜めの部分）で生じる。ラバー凸部１４２から突出したスイッチ１４９の先端には導電性材料が配置され、また、スイッチ１４９に対向するキー基板１４７には、スイッチ電極１５０が配置されている。ラバーシート１５２が変形することによって、スイッチ１４９の先端の導電性材料が、スイッチ電極１５０と接触する。主制御部２０は、スイッチ１４９先端の導電性材料と、スイッチ電極１５０と、の接触を検出し、発光部１５１の点灯／消灯の制御を行う。スイッチ１４９及びスイッチ電極１５０は、一つの操作ボタンに対して１から４組程度配置される（図５では、２組のスイッチ１４９と、スイッチ電極１５０と、を図示している）。
【００２５】
発光部１５１は、例えば、ＬＥＤが用いられるが、他の発光デバイスでもよい。発光部１５１から射出された光は、２つのスイッチ１４９の間隙を通り、さらにラバーシート１５２とキートップ１４１を透過して、外部に射出される。ラバーシート１５２は、弾力性と、光を透過する性質が必要であるため、シリコンゴムなどが用いられる。また、シリコンゴムは、発光部１５１から射出された光が、均一にキートップ１４１から射出されるように、光を拡散する、例えば、乳白色のものが好適である。キートップ１４１は、ユーザーが直接操作を行う操作ボタンであり、上述したように数字や記号が印刷されている。キートップ１４１には、ラバーシート１５１を透過した光を、外部に射出するために、透明、または適宜着色された半透明の材料、例えばＡＢＳ樹脂などが用いられる。
【００２６】
ダイヤル「３」操作ボタン８（キートップ１４１に相当）に隣接した設定操作ボタン６（キートップ１４４に相当）も、同様の構造であるが、上述のように発光部１５５の発光色が異なる。ダイヤル「３」操作ボタン８と設定操作ボタン６との間は、光漏れを低減するために、遮光壁１４３が設けられている。隣接する複数の操作ボタンのラバーシート１５２は、一体に形成されているため、ラバー凸部１４２とラバー凸部１４５とは、ラバー底部１５３を介して接続されている。このため、遮光壁１４３が配置されていても、発光部１５１の青色の光は、ラバーシート１５２の内部を通って、隣接する操作ボタン６に広がってしまう。すなわち、発光部１５１から射出された青色の光は、ラバー凸部１４２からラバー底部１５３を通って、ラバー凸部１４５へと広がり、キートップ１４４を透過して、電話機本体１０２の外部へ射出される。また、発光部１５５の赤色の光も同様に、ダイヤル「３」操作ボタン８へ広がってしまう。
【００２７】
ダイヤル操作ボタン５は、ダイヤル操作を行っていない待機時には消灯しているが、設定操作ボタン６は、例えば、上述の迷惑電話対策機能がＯＮになっているときは赤色に点灯している。このため、ダイヤル操作ボタン５は、光漏れによって赤く光って見えることがあった。また、ダイヤル操作ボタン５が青色に発光しているときは、設定操作ボタン６の赤色の光が混色して、表示品位を低下することがあった。さらに、迷惑電話対策機能がＯＦＦになっているときは、設定操作ボタン６は消灯しているが、ダイヤル操作ボタン５が点灯したとき、光漏れによって、迷惑電話対策機能がＯＮであると、ユーザーが、誤認してしまうこともあった。
【００２８】
図６は、従来のラバーシート１６０を示す図である。ダイヤル操作ボタン５に対応する部分が、ダイヤル操作ラバー１６１である。同様に、設定操作ボタン６と、設定操作ボタン７に対応する部分が、設定操作ラバー１６３と設定操作ラバー１６５である。これらは、一体となってラバーシート１６０を形成している。図５に記載されているラバーシート１５２の断面は、図６のＡ−Ａ‘における断面である。
【００２９】
ラバーシート１６０には、電話機本体上部筐体１４６に突設した、キー基板（１４７）固定用ボス（図５では省略している）を通す孔１６７が複数設けられている。キー基板１４７は、固定用ボスにネジ止めすることによって、電話機本体上部筐体１４６に固定される。複数の孔１６７は、電話機本体上部筐体１４６と、ラバーシート１６０と、を位置決めする機能も有している。
【００３０】
次に、本発明の電子機器を、電話機１を例にとって説明する。図３は、電話機１の電話機本体２の断面図である（図１のＡ−Ａ‘における断面）。基本的な構成は、図５を用いて説明した従来の電話機本体１０２の断面図と類似しているが、ラバーシート５２の形状が異なる。図４は、電話機本体２のラバーシート６０の平面図である。ダイヤル操作ボタン５に対応する部分が、ダイヤル操作ラバー６１であり、ダイヤル「３」操作ボタン８に対応する部分が、ダイヤル「３」操作ラバー６６である。また、設定操作ボタン６、及び設定操作ボタン７に相当する部分が、設定操作ラバー６３、及び設定操作ラバー６５である。従来技術を示す図６とは、ダイヤル「３」操作ラバー６６と、設定操作ラバー６３との間に、スリット６２が形成されている点が相違する。スリット６２は、図３のラバー底部５３に相当する位置に形成されている。同様に、ダイヤル操作ラバー６１の右下の操作ボタンに対応する部分と、設定操作ラバー６５との間にも、スリット６４が形成されている点も相違する。
【００３１】
図３に戻り、ダイヤル「３」操作ボタン８（キートップ４１に相当）と、設定操作ボタン６（キートップ４４に相当）との間の遮光壁４３は、ラバーシート５２のラバー底部５３に形成されたスリット５９（図６のスリット６２）に嵌合するように配置されている。このため、遮光壁４３は、キー基板４７と接触している。発光部５１から射出された光は、ラバー凸部４２とラバー底部５３を通っても、スリット５９に嵌合された遮光壁４３によって遮られ、隣接する設定操作ボタン６（キートップ４４に相当）に届きにくくなる。これによって、隣接する操作ボタン間の光漏れを低減することができる。遮光壁４３は、スリット５９の平面視の形状に合わせて、平面視でコの字型の形状をしている。また、スリット６４と、これに嵌合する遮光壁は、複数の操作ボタンの角に配置されているため、平面視でＬ字型の形状をしている。
【００３２】
図３で、キートップ４１（ダイヤル「３」操作ボタン８に相当）と、その左側のダイヤル操作ボタンと、の間の遮光壁４０は、ラバー底部４８にスリットが形成されていないため、キー基板４１と接触していない。このため、この部分では光漏れが生じうる。しかしダイヤル操作ボタン５は、一斉に点灯、もしくは消灯するため、光漏れが生じても影響がない。この部分のスリットを省略することによって、ラバーシート６０の強度が増し、電話機本体２の組み立て作業が容易になる。
【００３３】
ラバーシート６０は、図４のように一体に形成するため、電話機本体２の組み立ては、従来のラバーシート１６０と、同様の作業工程で行うことがでる。そのため、本発明の実施によるコストアップは生じない。
【００３４】
（変形例１）
図４のスリット６２はコの字型、スリット６４はＬ字型であるが、これに限るものではなく、適宜形状を変えることが可能である。例えば、設定操作ボタン６の発光が漏れた場合、最も影響を受けやすい操作ボタンは、ダイヤル「３」操作ボタン８である。スリット６２は、ダイヤル「３」操作ラバー６６と、設定操作ラバー６３の間にだけ、Ｉ字型で設けることもできる。これにより、スリット６２を小さくできるので、ラバーシート６０の強度が増し、組み立て作業時に、スリット６２の部分から、ラバーシート６０が切れてしまう不良の発生を抑制することが可能となり、生産効率が向上する。
【００３５】
（変形例２）
図３で、遮光壁４０と遮光壁４３とは、電話機本体上部筐体４６と一体に形成するとよい。遮光壁４３は、ラバーシート５２のスリット５９と嵌合するため、ラバーシート５２の位置決め機能も有している。ラバーシート５２の主な位置決めは、上述のキー基板固定用ボスと、孔６７と、が嵌合することによって行われるが、遮光壁４３とスリット５９に位置決め機能を分担することによって、ラバーシート５２の孔６７の数を減らすことが可能となる。これによって、ラバーシート５２の強度を増すことが可能となり、組み立て作業時にラバーシート５２が切れてしまう不具合を抑制し、生産効率を向上させることができる。
【００３６】
（変形例３）
また、図３で、遮光壁４０と遮光壁４３とは、電話機本体上部筐体４６と、別部品（別体）であってもよい。この際、遮光壁４０と遮光壁４３とは、電話機上部筐体４６に対して、組み立て位置を決める機構を有している。従って、遮光壁４３は、スリット５９と嵌合することによって、ラバーシート５２の位置決め機能を有する。変形例３と同様に、ラバーシート５２から、孔６７の数を減らすことが可能となり、ラバーシート５２の強度を増すことが可能となる。
【００３７】
以上説明したように、本実施形態では、透光性を有する材料からなるラバーと、前記ラバーに対する押圧により動作するスイッチと、前記スイッチの出力に基づいて制御される発光部と、を、有する操作ボタンが、複数隣接して配置された電子機器であって、隣接する複数の前記操作ボタンの前記ラバーは、一体に形成され、一体に形成された前記ラバーは、隣接する複数の前記操作ボタンの間に対応する位置に、スリットを有し、隣接する前記操作ボタンの間の光の伝搬を抑制する遮光壁は、前記スリットに嵌合していることを特徴とする。これによって、操作ボタンに配置された発光部から射出された光が、隣接する他の操作ボタンに漏れにくい構造の電子機器を提供することができる。
【００３８】
また、本実施形態では、隣接配置される前記操作ボタンの前記発光部は、相互に発光色が異なることを特徴とする。相互に発光色の異なる操作ボタンが隣接していても、本発明によって光漏れを抑制し、表示品位を高めることが可能となる。
【００３９】
また、本実施形態では、前記電子機器は、前記操作ボタンが複数配置された筐体を有し、  前記遮光壁は、前記筐体の一部と一体に形成されていることを特徴とする。これによって、光漏れを抑制しつつ、低コストで、組み立て作業が容易な電子機器を提供することが可能となる。また、遮光壁によってラバーシートの位置決め機能を分担可能なため、位置決めを行うラバーシートの孔の数を減らし、強度を増したラバーシートを実現することが可能となる。
【００４０】
また、本実施形態では、前記筐体は、第１筐体と、前記操作ボタンの押圧操作を受け付けるための操作面を有する第２筐体と、を有し、前記遮光壁は、前記第２筐体と一体に形成されていることを特徴とする。これによって、光漏れを抑制しつつ、低コストで、組み立て作業が容易な電子機器を提供することが可能となる。また、遮光壁によってラバーシートの位置決め機能を分担可能なため、位置決めを行うラバーシートの孔の数を減らし、強度を増したラバーシートを実現することが可能となる。
【００４１】
また、本実施形態では、前記電子機器は、前記操作ボタンが複数配置された筐体を有し、  前記遮光壁は、前記筐体と別体で形成され、前記遮光壁と、前記筐体とは、相互の位置関係が確定して組み立てられていることを特徴とする。これによって、光漏れを抑制しつつ、低コストで、組み立て作業が容易な電子機器を提供することが可能となる。また、遮光壁によってラバーシートの位置決め機能を分担可能なため、位置決めを行うラバーシートの孔の数を減らし、強度を増したラバーシートを実現することが可能となる。
【００４２】
また、本実施形態では、前記筐体は、第１筐体と、前記操作ボタンの押圧操作を受け付けるための操作面を有する第２筐体と、を有し、前記遮光壁は、前記第２筐体と別体に形成され、前記遮光壁と、前記第２筐体とは、相互の位置関係が確定して組み立てられていることを特徴とする。これによって、光漏れを抑制しつつ、低コストで、組み立て作業が容易な電子機器を提供することが可能となる。また、遮光壁によってラバーシートの位置決め機能を分担可能なため、位置決めを行うラバーシートの孔の数を減らし、強度を増したラバーシートを実現することが可能となる。
【００４３】
本発明は、上述した実施形態に限られるものではなく、特許請求の範囲及び明細書全体から読み取れる発明の要旨或いは思想に反しない範囲で適宜変更可能であり、そのような変更を伴う電子機器もまた本発明の技術的範囲に含まれる。
【産業上の利用可能性】
【００４４】
本発明は、電子機器に好適に採用され得る。
【符号の説明】
【００４５】
１…電話機、２…電話機本体、３…表示部、４…送受話器、５…ダイヤル操作ボタン、６…設定操作ボタン、８…ダイヤル「３」操作ボタン、２０…主制御部、２１…無線部、２２…ＲＡＭ、２３…不揮発性メモリ、２４…公衆電話回線、２５…公衆電話回線制御部、２６…表示部、２７…操作部、３０…主制御部、３１…無線部、３２…ＲＡＭ、３３…不揮発性メモリ、３４…表示部、３５…操作部、４０…遮光壁、４１…キートップ、４２…ラバー凸部、４３…遮光壁、４６…電話機本体上部筐体、４７…キー基板、４８…ラバー底部、４９…スイッチ、５０…スイッチ電極、５１…発光部、５２…ラバーシート、５３…ラバー底部、５４…電話機本体下部筐体、５５…発光部、５９…スリット、６０…ラバーシート、６１…ダイヤル操作ラバー、６２…スリット、６３…設定操作ラバー、６４…スリット、６６…ダイヤル「３」操作ラバー、６７…孔、１０２…電話機本体、１４０…遮光壁、１４１…キートップ、１４２…ラバー凸部、１４３…遮光壁、１４６…電話機本体上部筐体、１４７…キー基板、１４８…ラバー底部、１４９…スイッチ、１５０…スイッチ電極、１５１…発光部、１５２…ラバーシート、１５３…ラバー底部、１５４…電話機本体下部筐体、１５５…発光部、１６０…ラバーシート、１６１…ダイヤル操作ラバー、１６３…設定操作ラバー、１６６…ダイヤル「３」操作ラバー、１６７…孔
【図１】
2020080265.tif 000003
【図２】
2020080265.tif 000004
【図３】
2020080265.tif 000005
【図４】
2020080265.tif 000006
【図５】
2020080265.tif 000007
【図６】
2020080265.tif 000008